(57)【特許請求の範囲】
【請求項１】
奏者による操作子の操作に応じてオーディオ信号を生成し、該オーディオ信号に基づいて放音する電子楽器と、
前記電子楽器から放音された音から前記電子楽器の真贋を判定する真贋判定装置とを備え、
前記電子楽器は、
当該電子楽器が真正品であることを表す識別情報が、前記オーディオ信号に含まれる楽音の周波数成分よりも高い帯域に含まれる前記オーディオ信号を生成するオーディオ信号生成部を備え、
前記真贋判定装置は、
前記電子楽器から放音された音を収音する収音部と、
前記収音部により収音された音から前記識別情報を取得する識別情報取得部と、
前記識別情報に基づいて前記電子楽器の真贋を判定する判定部と
を備えた電子楽器システム。
【請求項２】
前記真贋判定装置は、更に、
前記識別情報取得部および前記判定部の各機能に関するアプリケーションプログラムを記憶する記憶部と、
前記アプリケーションプログラムを実行するマイコンと、
を具備し、
前記識別情報取得部および前記判定部は、
前記マイコンが前記アプリケーションプログラムを実行することにより、前記マイコンの機能として実現されることを特徴とする請求項１に記載の電子楽器システム。
【請求項３】
前記オーディオ信号生成部は、
前記識別情報を非可聴帯域の変調成分に変調し、前記変調成分を前記オーディオ信号に重畳することを特徴とする請求項１または２に記載の電子楽器システム。
【請求項４】
前記オーディオ信号生成部は、
前記識別情報が重畳された所定の波形データを記憶する記憶部を具備し、前記波形データを基にして、前記識別情報が含まれる前記オーディオ信号を生成することを特徴とする請求項１または２に記載の電子楽器システム。
【発明の詳細な説明】
【技術分野】
【０００１】
本発明は、電子楽器の真贋を判定する機能を有する電子楽器システムに関する。
【背景技術】
【０００２】
電子楽器の市場において模造品が出回っており、その流通規模が拡大する傾向にある。そのため、一般消費者が電子楽器の真贋を簡易かつ安価に判定する技術が求められている。
【０００３】
従来、電子楽器の真贋を判定するための技術として、ＲＦＩＤ(Radio Frequency Identification)やホログラムシールを用いた技術がある。ＲＦＩＤを用いた技術によれば、電子楽器に組み込まれたタグチップから識別情報を無線により読み取ることで電子楽器の真贋を判定することができる。また、ホログラムシールを用いた技術によれば、その固有の光学パターンから電子楽器の真贋を視覚的に判別することができる。
【０００４】
その他、例えば特開平１１−２１９１７２号公報（特許文献１）には、デジタル著作物の不正コピーの発見等を目的として、楽音波形データに識別情報を埋め込む技術が開示されている。この技術によれば、雑音成分の多い楽音波形データのアタック部分（楽音の立ち上がり部分）に識別情報を埋め込み、この識別情報からデジタル著作物が不正コピー品であるどうかを判別することができる。
【先行技術文献】
【特許文献】
【０００５】
【特許文献１】特開平１１−２１９１７２号公報
【特許文献２】特開２０１０−５５０７８号公報
【発明の概要】
【発明が解決しようとする課題】
【０００６】
しかしながら、上述のＲＦＩＤを用いた技術によれば、電子楽器にタグチップを組み込まなければならず、従って電子楽器の製造コストの上昇を招く。
【０００７】
また、上述のホログラムシールを用いた技術によれば、消費者自身がホログラムの光学パターンを視覚により認識しなければならないため、ホログラムシールが巧妙に偽造されている場合には真贋の判定を誤るおそれがある。
【０００８】
更に、上述の特開平１１−２１９１７２号公報（特許文献１）に開示された技術によれば、楽音の音色の特徴を最もよく表すアタック部分に識別情報を埋め込むため、音色の劣化を避けることができない。
【０００９】
本発明は、かかる事情に鑑みてなされたものであり、電子楽器が放音する楽音の音質に影響を与えることなく、一般消費者が電子楽器の真贋を簡易かつ的確に判定することができる電子楽器システムを提供することを目的とする。
【課題を解決するための手段】
【００１０】
本発明は、奏者による操作子の操作に応じてオーディオ信号を生成し、該オーディオ信号に基づいて放音する電子楽器と、前記電子楽器から放音された音から前記電子楽器の真贋を判定する真贋判定装置とを備え、前記電子楽器は、当該電子楽器が真正品であることを表す識別情報が、前記オーディオ信号に含まれる楽音の周波数成分よりも高い帯域に含まれる前記オーディオ信号を生成するオーディオ信号生成部を備え、前記真贋判定装置は、前記電子楽器から放音された音を収音する収音部と、前記収音部により収音された音から前記識別情報を取得する識別情報取得部と、前記識別情報に基づいて前記電子楽器の構成を有する。
【００１１】
上記構成によれば、オーディオ信号に含まれる楽音の周波数成分よりも高い帯域に識別情報が含まれるので、識別情報が楽音の音質に影響を与えることなく、電子楽器の真贋を判定することができる。また、例えばソフトウェア上で本発明の各構成要素を実現することができる。従ってハードウェア構成を変更することなく、簡易かつ安価に電子楽器の真贋を判定するための機能を実現することができる。
【発明の効果】
【００１２】
本発明による電子楽器システムによれば、楽音の周波数成分をそのままに、電子楽器から放音される音に埋め込まれた識別情報から電子楽器の真贋を判定することができる。従って、楽音の音質を劣化させることなく、一般消費者が電子楽器の真贋を簡易かつ的確に判定することが可能になる。
【図面の簡単な説明】
【００１３】
【図１】本発明の実施形態による電子楽器システム１の構成を概略的に示す図である。
【図２】本発明の実施形態による電子楽器システム１をなす電子楽器１００の構成を示す図である。
【図３】本発明の実施形態による電子楽器システム１をなす真贋判定装置２００の構成を示す図である。
【発明を実施するための形態】
【００１４】
以下、本発明の実施形態による電子楽器システムを説明する。
図１に、本実施形態による電子楽器システム１の構成を示す。電子楽器システム１は、電子楽器１００と真贋判定装置２００とから構成される。このうち、電子楽器１００は、識別情報重畳部１２０Ａを備え、真贋判定装置２００は、収音部２４０、識別情報取得部２３０Ａ、判定部２３０Ｂを備える。本電子楽器システム１によれば、概略的には、電子楽器１００から放音された音を真贋判定装置２００で収音し、その音に埋め込まれた識別情報を分析することにより電子楽器１００の真贋を判定する。
【００１５】
図２に、本実施形態による電子楽器１００の構成を概略的に示す。
電子楽器１００は、識別情報重畳部１２０Ａを除けば、従来の電子楽器と同様に構成される。
【００１６】
すなわち、電子楽器１００は、例えば鍵盤楽器であって、操作子１１０、信号処理部１２０、Ｄ／Ａ変換部１３０、スピーカ１４０を備え、奏者による操作子１１０の操作に応じてオーディオ信号を生成し、該オーディオ信号に基づいて楽音をスピーカ１４０から放音するように構成される。
【００１７】
ここで、操作子１１０は鍵盤楽器の鍵盤に相当するものである。信号処理部１２０は、例えばＭＩＤＩ(Musical Instrument Digital Interface)規格の音源を備え、奏者による操作子の操作に応じてリアルタイムに波形合成することによりデジタルデータであるオーディオ信号を生成するオーディオ信号生成部として機能するものである。
【００１８】
また、信号処理部１２０には、本実施形態による電子楽器システム１の構成要素である識別情報重畳部１２０Ａが設けられる。この識別情報重畳部１２０Ａは、所定の識別情報をオーディオ信号に重畳するためのものである。この所定の識別情報は、例えば、電子楽器１００の製造元を識別するための情報であって、この電子楽器１００が真正品であることを表す。本実施形態では、識別情報重畳部１２０Ａを含む信号処理部１２０の機能は、例えばアプリケーションプログラム（ソフトウェア）により、電子楽器１００に予め内蔵されたマイコンの機能として実現される。
【００１９】
識別情報重畳部１２０Ａにおいて上記識別情報をオーディオ信号に重畳するための手法としては、例えば特開２０１０−５５０７８号公報（特許文献２）に開示された本願出願人による技術を利用することができる。この技術によれば、各種のデジタル情報を音に埋め込んで音波として伝送することができる。
【００２０】
Ｄ／Ａ変換部１３０は、信号処理部１２０で生成されたオーディオ信号をアナログ信号に変換してスピーカ１４０を駆動するものである。
【００２１】
なお、本実施形態では、電子楽器１００として鍵盤楽器を例に説明するが、この例に限らず、電子楽器１００は、ドラム等の打楽器やバイオリン等の弦楽器であってもよく、本発明による電子楽器システム１は、どのような電子楽器にも適用することができる。
【００２２】
図３に、本実施形態による真贋判定装置２００の構成を概略的に示す。
【００２３】
真贋判定装置２００は、識別情報取得部２３０Ａおよび判定部２３０Ｂを除けば、従来のスマートフォン、携帯電話、パソコン等の端末装置と同様に構成され、本実施形態では、真贋判定装置２００がスマートフォンとして構成された場合を例に説明する。そのため、電子楽器システム１の構成要素である収音部２４０は、スマートフォンが備えるマイクを流用して実現される。以下では、適宜、「収音部２４０」を「マイク２４０」と称す。
なお、本実施形態では、真贋判定装置２００がスマートフォンとして構成された場合を例に説明するが、この例に限定されず、真贋判定装置２００は、携帯電話やパソコン等、他の任意の端末装置であってもよい。
【００２４】
真贋判定装置２００は、入力部２１０、通信部２２０、制御部２３０、マイク（収音部）２４０、スピーカ２５０、コーデック２６０、記憶部２７０、表示部２８０、バス２９０から構成される。このうち、入力部２１０、通信部２２０、制御部２３０、コーデック２６０、記憶部２７０、表示部２８０は、バス２９０を介して相互に接続され、コーデック２６０には、マイク（収音部）２４０及びスピーカ２５０が接続されている。
なお、通信部２２０には図示しない内蔵アンテナが接続されている。
【００２５】
ここで、入力部２１０は、スマートフォンが備えるタッチスクリーンの入力機能に相当し、利用者が真贋判定装置２００に各種の命令やデータを入力するためのものである。通信部２２０は、図示しない内蔵アンテナを介して外部との無線通信処理を実施するためのものである。
【００２６】
制御部２３０は、真贋判定装置２００の全体動作を制御するためのものである。この制御部２３０には、本実施形態による電子楽器システム１の構成要素である識別情報取得部２３０Ａおよび判定部２３０Ｂが設けられている。本実施形態では、これら識別情報取得部２３０Ａおよび判定部２３０Ｂは、前述の識別情報重畳部１２０Ａと同様に、例えば、後述する記憶部２７０に記憶されているアプリケーションプログラムにより、真贋判定装置２００に内蔵されたマイコンの機能として実現されるが、その詳細については後述する。
【００２７】
コーデック２６０は、マイク（収音部）２４０から入力されるアナログ音声信号をエンコード処理すると共に、スピーカ２５０から放音されるべき音のデジタルデータをデコード処理するためのものである。
【００２８】
記憶部２７０は、制御部２３０による各種処理の過程で発生するデータや各種制御プログラムを格納するものである。表示部２８０は、スマートフォンが備えるタッチスクリーンの表示機能に相当し、制御部２３０の制御の下で各種情報を表示するためのものである。
【００２９】
上述のように、本実施形態による電子楽器システム１は、識別情報重畳部１２０Ａを備えた電子楽器１００と、マイク（収音部）２４０、識別情報取得部２３０Ａ、判定部２３０Ｂを備えた真贋判定装置２００とから構成され、このうち、スマートフォンの構成要素であるマイク２４０を除けば、電子楽器システム１の各構成要素は、アプリケーションプログラムの形態で電子楽器１００および真贋判定装置２００に組み込まれる。従って、電子楽器システム１を構成する電子楽器１００および真贋判定装置２００は、ハードウェア構成に関する限り、従来の電子楽器および端末装置と同一に構成することができる。換言すれば、電子楽器システム１は、ソフトウェアにより従来の電子楽器および端末装置上に構築することができる。
【００３０】
なお、本実施形態では、識別情報取得部２３０Ａを制御部２３０の構成要素としたが、この例に限らず、コーデック２６０の構成要素としてもよい。この場合も、識別情報取得部２３０Ａの機能はアプリケーションプログラムにより実現することができる。また、この例に限らず、どのような形態で識別情報取得部２３０Ａを真贋判定装置２００に備えてもよい。
【００３１】
次に、本実施形態による電子楽器システム１の動作を説明する。
【００３２】
図２に示す電子楽器１００の操作子１１０を奏者が操作して演奏を開始すると、その信号処理部１２０は、操作子１１０の操作に応じてオーディオ信号を生成する。このオーディオ信号に対して、信号処理部１２０に設けられた識別情報重畳部１２０Ａは、電子楽器１００が真正品であることを表す所定の識別情報を重畳する。
【００３３】
即ち、識別情報重畳部１２０Ａは、例えば位相変調またはスペクトラム拡散により上記識別情報を変調し、その変調成分がオーディオ信号に含まれる楽音の周波数成分よりも高い帯域に含まれるように、上記変調成分をオーディオ信号に重畳する。
なお、上記識別情報の変調成分の帯域は２０ｋＨｚ以上の非可聴帯域であることが望ましいが、非可聴帯域が使えない場合には、例えば１５ｋＨｚ以上の可聴高周波帯域であれば、聴感上の影響を少なくすることができる。
【００３４】
Ｄ／Ａ変換部１３０は、上記識別情報が重畳されたオーディオ信号をアナログ信号に変換してスピーカ１４０に供給することにより、このスピーカ１４０を駆動する。これにより、スピーカ１４０から、奏者による操作子１１０の操作に応じた楽音が放音される。
【００３５】
ここで、スピーカ１４０から放音される音には、奏者による操作子１１０の操作に応じた楽音と共に、上記識別情報の変調成分に相当する音成分が含まれるが、この音成分は、楽音の周波数成分よりも高い帯域に存在するため、実際上、聴取者には上記識別情報の変調成分が聞こえにくい。従って、上記識別情報が楽音の品質に影響を及ぼすことはない。
【００３６】
一方、電子楽器１００の近傍であって、電子楽器１００から放音される音の聴取可能範囲内に位置する図３に示す真贋判定装置２００では、そのマイク２４０が電子楽器１００から放音された音を収音する。マイク２４０により収音された音をコーデック２６０がエンコード処理することで音データを生成し、この生成された音データを識別情報取得部２３０Ａに供給する。識別情報取得部２３０Ａは、コーデック２６０から供給された音データに含まれる上記変調成分を復調処理することにより識別情報を取得する。
【００３７】
判定部２３０Ｂは、識別情報取得部２３０Ａにより取得された識別情報に基づいて電子楽器１００の真贋を判定する。具体的には、判定部２３０Ｂは、識別情報取得部２３０Ａにより取得された識別情報が、電子楽器１００においてオーディオ信号に重畳された所定の識別情報と符合する場合、即ち、識別情報取得部２３０Ａが上記所定の識別情報を取得した場合、電子楽器１００が真正品であると判定する。
【００３８】
また、その他の場合、例えば識別情報取得部２３０Ａにより取得された識別情報が、電子楽器１００においてオーディオ信号に重畳された所定の識別情報と符合しない場合、または、識別情報取得部２３０Ａにより識別情報を取得できなかった場合、判定部２３０Ｂは、電子楽器１００が真正品ではないと判定する。
【００３９】
判定部２３０Ｂによる判定結果は、制御部２３０の制御の下、例えば画像情報、文字情報、音声情報等により、表示部２８０またはスピーカ２４０を介して真贋判定装置２００の利用者に通知される。
以上で、本実施形態による電子楽器システム１の動作を説明した。
【００４０】
上述した本実施形態によれば、一般消費者が電子楽器１００の真贋を簡易かつ的確に判定することができ、従って、その模造品による被害の発生を未然に防止することができる。
【００４１】
また、上述した本実施形態によれば、電子楽器１００の識別情報重畳部１２０Ａの機能をアプリケーションプログラムにより実現したので、電子楽器１００は、識別情報重畳部１２０Ａを実現するためのハードウェアを別途備える必要がない。従って、識別情報重畳部１２０Ａの機能を電子楽器１００に組み込むことによる電子楽器システム１の製造コストの上昇を招くことがない。
【００４２】
同様に、真贋判定装置２００の識別情報取得部２３０Ａおよび判定部２３０Ｂの機能を、アプリケーションプログラムにより実現したので、真贋判定装置２００は、識別情報取得部２３０Ａおよび判定部２３０Ｂを実現するためのハードウェアを別途備える必要がない。従って、識別情報取得部２３０Ａおよび判定部２３０Ｂの各機能を真贋判定装置２００に組み込むことによる電子楽器システム１の製造コストの上昇を招くことがない。
【００４３】
以上、本発明の実施形態を説明したが、本発明は上述の実施形態に限定されるものではなく、本発明の要旨を逸脱しない範囲で種々の変形が可能である。
例えば、上述の実施形態では、電子楽器１００に設けられた識別情報重畳部１２０Ａと、真贋判定装置２００に設けられた識別情報取得部２３０Ａおよび判定部２３０Ｂを、アプリケーションプログラムによりマイコンの機能として実現するものとしたが、これに限定されることなく、必要に応じてハードウェアにより実現してもよい。例えば、電子楽器１００に設けられる識別情報重畳部１２０Ａをハードウェアにより構成し、真贋判定装置２００に設けられる識別情報取得部２３０Ａおよび判定部２３０Ｂをアプリケーションプログラムにより実現してもよい。
【００４４】
また、上述の実施形態では、識別情報取得部２３０Ａおよび判定部２３０Ｂの各機能をスマートフォン等の任意の端末装置に組み込むことにより真贋判定装置２００を実現するものとしたが、真贋判定装置２００は、識別情報を取得し、電子楽器の真贋を判定する専用の端末であってもよい。
【００４５】
更に、電子楽器１００の操作子１１０を操作する際に識別情報をオーディオ信号に重畳するが、複数ある操作子のうち、どの操作子を操作した場合に識別情報を重畳するかは任意であり、特定の操作子（例えば特定の音の鍵盤）を操作した場合や、特定の複数の操作子の組み合わせを操作した場合にのみ識別情報を重畳するようにしてもよい。
【００４６】
更にまた、上述の実施形態では、図２に示すように、電子楽器１００の信号処理部１２０に識別情報重畳部１２０Ａを設け、この識別情報重畳部１２０Ａでオーディオ信号に所定の識別情報を重畳することによりオーディオ信号に所定の識別情報を含ませるものとしたが、これに限定されることなく、オーディオ信号に上記所定の識別情報を含ませるための手法として、どのような手法を用いてもよい。例えば、電子楽器１００の信号処理部１２０が、波形データを基にしてオーディオ信号を生成するタイプの音源を備えるものであれば、予め上記所定の識別情報が重畳された所定の楽音の波形データを他の楽音の波形データと共に電子楽器１００の記憶装置（図示なし）に記憶しておく。そして、この記憶装置から信号処理部１２０が上記所定の楽音の波形データを読み出してオーディオ信号を生成するようにしてもよい。これにより、信号処理部１２０は、識別情報重畳部１２０Ａを備えることなく、上述の実施形態と同様に、上記所定の識別情報を含むオーディオ信号を生成することができる。また、この例によれば、オーディオ信号に所定の識別情報を含ませるのに、電子楽器１００のハードウェア構成を変更する必要がない。従って、電子楽器１００のコストの上昇を抑えることができる。
【００４７】
更にまた、電子楽器１００の操作子１１０とは別に、上記所定の識別情報を重畳させるための操作子を設けてもよい。
【００４８】
更にまた、電子楽器１００に真贋判定装置２００との間で信号を送受信する通信部を設け、真贋判定装置２００の入力部の操作に応じて電子楽器１００で識別情報をオーディオ信号に重畳させるようにしてもよい。例えば、真贋判定装置２００において、その利用者による入力部２１０の操作に応じて、制御部２３０の制御の下、識別情報を重畳する処理を実行させるためのトリガー信号を発生させ、このトリガー信号を通信部２２０を介して電子楽器１００に送信する。電子楽器１００は、真贋判定装置２００から上記トリガー信号を受信した場合、識別情報重畳部１２０Ａによって識別情報をオーディオ信号に重畳させる。この例によれば、真贋判定装置２００の利用者から要求があったときのみ、識別情報をオーディオ信号に重畳させることができる。
【符号の説明】
【００４９】
１…電子楽器システム、１００…電子楽器、１１０…操作子、１２０…信号処理部、１２０Ａ…識別情報重畳部、１３０…Ｄ／Ａ変換部、１４０…スピーカ、２００…真贋判定装置、２１０…入力部、２２０…通信部、２３０…制御部、２３０Ａ…識別情報取得部、２３０Ｂ…判定部、２４０…マイク（収音部）、２５０…スピーカ、２６０…コーデック、２７０…記憶部、２８０…表示部、２９０…バス。
【図１】
0005737099.tif 000002
【図２】
0005737099.tif 000003
【図３】
0005737099.tif 000004